(57)【要約】【課題】  ユーザが所望する動作が行われるまでの操作回数を抜本的に削減すること。【解決手段】  予約動作登録部２０６では、操作部１３０が操作入力を受けたときの装置状況に対して、その後、所定時間の間に受けた操作入力による動作の差分を、関連性のある動作パターンとして抽出して、予約動作データベース２０５に記録する。当該動作パターンが抽出された回数が所定回数になると、それ以降で、該当動作パターンの実行が提案されたり、当該動作パターンが実行されたりするかが選択的に決定され、さらにその後に、操作部１３０が任意の操作入力を受けたときの装置状況が、予約動作データベース２０５に記録されていて、実行の提案や実行を決定された動作パターンと一致する装置状況であれば、実行動作決定部２０３において、該当する動作パターンの実行が提案されたり、該当する動作パターンが実行されたりする。【選択図】      図２
2010109931.tif 000002
【特許請求の範囲】
【請求項１】
操作入力を受ける操作部と、
前記操作部が受けた第１の操作入力と、続いて受けた第２の操作入力に応じた動作を関連付けた特定の動作パターンが抽出される抽出部と、
前記特定の動作パターンが抽出される回数をカウントするカウンタと、
前記カウンタが所定回数をカウントしたとき、それ以降で前記特定の動作パターンの実行を提案するかまたは実行するかを決定する選択入力画面を出力する画面出力部と、
を具備することを特徴とする映像記録再生装置。
【請求項２】
前記抽出部は、前記第１の操作入力を受けたときの時刻、曜日、チャンネル、音量、音声ＭＯＤＥから成る装置状況に対する、前記第１の操作入力から所定時間の間で最後に受けた第２の操作入力に応じた前記装置状況の差分を、関連付けた特定の動作パターンとして抽出することを特徴とする請求項１記載の映像記録再生装置。
【請求項３】
前記操作部が第１の操作入力を受けたときに、カメラによって撮影される画像から顔画像を抽出し、抽出した顔画像にユーザＩＤを付与して保存する顔認識部を具備し、
前記抽出部は、前記第１の操作入力を受けたときに、前記顔認識部に保存されたユーザＩＤも、関連付けた特定の動作パターンとして抽出することを特徴とする請求項２記載の映像記録再生装置。
【請求項４】
前記操作部が任意の操作入力を受けたとき、前記第１の操作入力を含む所定条件に一致する動作パターンを選択的に提案する画面を出力、または前記一致する動作パターンを実行することを特徴とする請求項１記載の映像記録再生装置。
【請求項５】
操作入力を受け、
受けた第１の操作入力と、続いて受けた第２の操作入力に応じた動作を関連付けた特定の動作パターンが抽出され、
前記特定の動作パターンが抽出される回数をカウントし、
所定回数をカウントしたとき、それ以降で前記特定の動作パターンの実行を提案するかまたは実行するかを決定する選択入力画面を出力する映像記録再生方法。
【発明の詳細な説明】
【技術分野】
【０００１】
本発明は、操作入力に応じて映像の記録や再生を行う映像記録再生装置に係り、特に操作入力が行われたときに、装置状態に応じた動作内容を提案したり実行したりする映像記録再生装置および映像記録再生方法に関する。
【背景技術】
【０００２】
ＤＶＤレコーダやＨＤＤ（Hard  Disc  Drive；ハードディスクドライブ；以下ＨＤＤと称する）を備えたテレビジョン受像機など、様々なジャンルの映像コンテンツを視聴したり、録画したり、さらには録画したコンテンツを視聴したりする映像記録再生装置は、その用途から、一家庭内で特定のユーザに使用されることが多い。
【０００３】
なお、特定のユーザによる映像記録再生装置への操作のパターンは、装置へ操作要求する時間帯や、視聴番組ジャンル、放送番組のチャンネルなどの装置状況によって傾向的になることがあるので、すなわち、ユーザは同じ装置状況においては、同じ操作を要求することが多くなる。
【０００４】
例えば特許文献１によれば、ユーザの趣味や番組ジャンルの嗜好などの情報を事前に登録したり、特定の操作が行われる回数が多い時間帯の統計分析などを行ったりして、ユーザ嗜好に合わせた動作を学習することでユーザ操作を簡略化し、少ない操作要求で装置を制御する手法が公開されている。
【特許文献１】特開２００６−２１１５４１号公報 （図６  段落００２０）
【発明の開示】
【発明が解決しようとする課題】
【０００５】
ところが従来は、ユーザ嗜好学習や統計分析などの予測によるユーザ操作の簡略化手法であったので、ユーザが意図する動作を特定できず、ユーザが所望する動作が行われるまでの操作回数を抜本的に削減することは困難であった。
【０００６】
そこで、本発明は上述した課題を解決するために、操作入力を受けたときの装置状況に対して、その後、所定時間の間に受けた操作入力による動作の差分が、関連性のある動作パターンとして抽出されて、さらにその後に任意の操作入力を受けたとき、抽出された動作パターンに該当する装置状況であれば、その動作パターンの実行が提案されたり、その動作パターンが実行されたりする映像記録再生装置および映像記録再生方法を提供する。
【課題を解決するための手段】
【０００７】
本発明は上述した課題を解決するため、操作入力を受ける操作部と、前記操作部が受けた第１の操作入力と、続いて受けた第２の操作入力に応じた動作を関連付けた特定の動作パターンが抽出される抽出部と、前記特定の動作パターンが抽出される回数をカウントするカウンタと、を具備し、前記カウンタが所定回数をカウントしたとき、それ以降で前記特定の動作パターンの実行を提案するかまたは実行するかを決定する選択入力画面を出力することを特徴とするものである。
【０００８】
また本発明は上述した課題を解決するため、前記抽出部は、前記第１の操作入力を受けたときの時刻、曜日、チャンネル、音量、音声ＭＯＤＥから成る装置状況に対する、前記第１の操作入力から所定時間の間で最後に受けた第２の操作入力に応じた前記装置状況の差分を、関連付けた特定の動作パターンとして抽出することを特徴とするものである。
【０００９】
また本発明は上述した課題を解決するため、前記操作部が第１の操作入力を受けたときに、カメラによって撮影される画像から顔画像を抽出し、抽出した顔画像にユーザＩＤを付与して保存する顔認識部を具備し、前記抽出部は、前記第１の操作入力を受けたときに、前記顔認識部に保存されたユーザＩＤも、関連付けた特定の動作パターンとして抽出することを特徴とするものである。
【００１０】
また本発明は上述した課題を解決するため、前記操作部が任意の操作入力を受けたとき、前記第１の操作入力を含む所定条件に一致する動作パターンを選択的に提案する画面を出力、または前記一致する動作パターンを実行することを特徴とするものである。
【発明の効果】
【００１１】
本発明によれば、特定の動作パターンが抽出される回数がカウントされ、所定回数がカウントされたとき、それ以降で装置がその特定の動作パターンの実行を提案するか、またはその動作パターンを実行するかを決定する選択入力画面を出力したりするので、簡略化した操作内容が、ユーザの意図する動作内容となる。
【発明を実施するための最良の形態】
【００１２】
以下、本発明における実施形態について図面を用いて説明する。
（第１の実施形態）
本発明による第１の実施形態として、映像再生装置であるＤＶＤレコーダにおける、本発明の特徴である動作決定処理の一実施形態について、さらに本発明の特徴である予約動作登録処理の一実施形態について、図を用いて説明する。
【００１３】
まず図１は、本発明の一実施形態を示す、映像再生装置であるＤＶＤレコーダの主要な構成要素を示す構成図であり、以下に説明をする。
ＤＶＤレコーダ１０は、ＨＤＤに録画されている映像コンテンツや、ＣＤやＤＶＤに保存された映像コンテンツを再生するプレーヤ機能や、また、テレビ放送などの映像コンテンツをＨＤＤや録画用ＤＶＤなどの記録装置に録画するレコーダ機能を有している。
【００１４】
なお、以下で説明する映像再生装置はＤＶＤレコーダだけでなく、以上で説明したプレーヤ機能やレコーダ機能を有するＨＤＤレコーダやテレビジョン受像機、コンピュータ装置、携帯型情報処理端末等であってもよい。
【００１５】
まず、プレーヤ機能とレコーダ機能の詳細を説明する。
ＤＶＤレコーダ１０のユーザは、リモコンＲＣや操作部１３０による操作入力によって、所望の放送チャンネルや信号源の選択を行い、映像コンテンツの再生や記録の動作を制御することができ、さらには映像画質設定や音量変更なども行うことができる。またＤＶＤレコーダ１０の動作状況などの情報は表示部１３２に表示される。
【００１６】
すなわち、選択された放送チャンネルや信号源、映像画質設定、設定音量などの情報は、操作部１３０からの信号または、リモコンＲＣからの信号を受光部１３１で受光した信号として、データ制御バス１５１を介して制御部１５０に含まれる操作制御部１５０ａへ出力される。そして、出力された信号に応じた制御が行われて、ユーザ所望の映像コンテンツが再生や記録されたり、音量変更や音声ＭＯＤＥ設定などが行われたりする。
【００１７】
またカメラ１３３は、ＤＶＤレコーダ１０の操作部１３０と並んで配置され、撮影された画像データは同様に、データ制御バス１５１を介して制御部１５０に含まれる操作制御部１５０ａへ出力される。
【００１８】
ところで制御部１５０は、図示していないＣＰＵや、ＣＰＵがＤＶＤレコーダ１０を制御するために実行するプログラム記憶のためのＲＯＭや、ＣＰＵのワークメモリとして利用されるＲＡＭなどで構成される。
【００１９】
また本発明においては、操作部１３０やリモコンＲＣによる操作入力が行われるときに、カメラ１３３によって撮影される画像や、時刻、視聴コンテンツの放送チャンネルなどの装置状況に応じて、装置が行う動作を決定する操作制御部１５０ａや、操作制御部１５０ａによって決定される動作を行う動作制御部１５０ｂなども備えていて、操作制御部１５０ａや動作制御部１５０ｂは、前述したＣＰＵやＲＯＭ、ＲＡＭなどで構成される。
【００２０】
デジタルチューナ部１０１は、アンテナＡＴｄで受信されたデジタル放送信号を供給されて、制御部１５０によって設定された所望のチャンネルの放送信号を選局して復調・復号部１０４へ出力する。そして復調・復号部１０４はデジタルチューナ部１０１で選局された放送信号に対して、放送波種別ごとに必要となる復調や復号の処理を行い、信号処理部１０８へ信号データを出力する。
【００２１】
またアナログチューナ部１０２は、アンテナＡＴａで受信されたアナログ放送信号を供給されて、制御部１５０によって設定された所望のチャンネルの放送信号を選局して復調部１０５へ出力する。そして復調部１０５は、アナログチューナ部１０２で選局された放送信号に対して復調処理を行いセレクタ１０６へ信号データを出力する。
【００２２】
さらに、ＡＶ入力部１０３から入力される外部装置からのアナログ映像音声信号データと、復調部１０５から出力される信号データは、セレクタ１０６に入力され、制御部１５０からの制御信号によりどちらかが選択されてＡＤＣ部１０７へ出力される。そしてＡＤＣ部１０７は、入力されたアナログ信号をデジタル信号へ変換して信号処理部１０８へ出力する。
【００２３】
なおデジタルチューナ部１０１やアナログチューナ部１０２またはＡＶ入力部１０３は、複数備えている形態であってもよい。
また通信ＩＦ部１４０は、接続コネクタを含むＬＡＮなどのネットワーク接続部であり、図示していないネットワークに接続されたコンテンツサーバ装置などに記録された映像コンテンツを、ネットワークを介して取得することが可能である。
【００２４】
またｉ．ＬＩＮＫＩＦ部１４３は、接続コネクタを含むｉ．ＬＩＮＫ規格に基づいた外部装置接続部であり、ＤＶ端子を介して、図示していないＤ−ＶＨＳ方式のビデオデッキやＤＶＤレコーダ等の外部装置から、データ制御バス１５１を通して映像コンテンツデータをやりとりすることが可能である。
【００２５】
またカードＩＦ部１４１は、デジタル放送受信のための、図示していないＢ−ＣＡＳカードを接続するためのものや、記録装置である図示していないメモリカードを接続するための、接続コネクタを含むカード接続部であり、メモリカードを接続した場合には、データ制御バス１５１を通して映像コンテンツデータをやりとりすることが可能である。
【００２６】
またＵＳＢＩＦ部１４２は、接続コネクタを含むＵＳＢ規格に基づいた外部装置接続部であり、ＵＳＢ端子を介して、図示していないデジタルカメラのデータ記録装置やメモリカードなどの記録装置などに接続して、それらに記録されている写真画像を表示することが可能である。また、ＵＳＢ規格に基づいた接続端子を備えた、図示していない外部のＨＤＤ装置を接続して、データ制御バス１５１を通して映像コンテンツデータをやりとりすることが可能である。
【００２７】
ところで信号処理部１０８は、制御部１５０によって制御されて、前述したＡＤＣ部１０７から入力された信号に対してＭＰＥＧ符号化演算処理を行ったり、前述した復調・復号部１０４やデータ制御バス１５１を介して映像コンテンツデータを取得可能な各部から入力された信号に対してＭＰＥＧ復号化演算処理を行ったりして、映像処理部１１０や音声処理部１１２へ信号を出力する。
【００２８】
またＯＳＤ信号生成部１０９は、制御部１５０によって制御されて、信号処理部１０８から出力された映像信号と併せて映像処理部１１０へＯＳＤ信号を生成して出力する。本発明においては、操作入力がされたときの装置状況に適合する動作パターンの中から、そのとき実行する動作の実行を選択的に提案する画面や、操作入力がされたときの装置状況に適合する動作パターンを記憶するかを選択的に表示する画面などをＯＳＤ信号として生成して出力する。
【００２９】
なおＤＶＤレコーダ１０に備えられたＨＤＤ１１５や、光ディスクドライブ１１６に装着された光ディスクＯＤなどに保存されているデータは、データ転送制御部１１４によって制御されながら読み出され、信号処理部１０８によってＭＰＥＧ復号化演算処理がされて映像処理部１１０や音声処理部１１２へ映像音声信号となって出力される。
【００３０】
すなわち前述した、記録装置や記録媒体に保存されたテレビ放送などの映像コンテンツのデータを読み出して、適切な信号処理を行って出力する機能がプレーヤ機能である。
【００３１】
さらに信号処理部１０８内部で生成された信号は、記録装置または記録媒体に記録するために適した転送処理がデータ転送制御部１１４によってなされて記録用データとなり、ＤＶＤレコーダ１０に備えられた記録装置であるＨＤＤ１１５や、光ディスクドライブ１１６に装着された記録媒体である記録用光ディスクＯＤなどに記録される。
【００３２】
すなわち前述した、テレビ放送などの映像コンテンツのデータを、適切な信号処理を行って記録装置や記録媒体へ保存する機能がレコーダ機能である。
なお記録装置や記録媒体として利用されるのは、ＨＤＤ１１５や光ディスクＯＤだけでなく、前述したＤＶＤレコーダ１０の外部に接続された図示していないＨＤＤや、カードＩＦ部１４１に接続されたメモリカードなどを利用することも可能である。
【００３３】
さらに前述した信号処理部１０８から出力された音声信号は、制御部１５０の制御によって、アナログ信号やヘッドフォン出力信号、またはデジタル信号や光デジタル信号などに音声処理部１１２で変換されて、音声出力部１１３へ出力される。
【００３４】
そして音声出力部１１３は、図示していない外部接続された、アナログやデジタルの音声入力部を備えたテレビジョン受像機やＡＶアンプなどへ接続するための外部装置接続部であり、また音声信号出力部である。
【００３５】
また前述した信号処理部１０８から出力された映像信号は、制御部１５０の制御によって、アナログ信号やデジタル信号などに映像処理部１１０で変換されて、映像出力部１１１へ出力される。
【００３６】
そして映像出力部１１１は、図示していない外部接続された、アナログやデジタルの映像入力部を備えたテレビジョン受像機やＡＶアンプなどへ接続するための外部装置接続部であり、また映像信号出力部である。
【００３７】
次に本発明による第１の実施形態として、映像再生装置であるＤＶＤレコーダにおける、操作入力の内容と装置の状況に応じた動作決定処理の一実施形態について、図を用いて説明する。
【００３８】
図２は、本発明の一実施形態を示す、映像再生装置であるＤＶＤレコーダの操作制御部の構成要素を詳細に示す構成図であり、図２の各要素について個々に詳細な説明を行う。
【００３９】
なお、データベースは通常、一意性を持たせた数字の羅列によって記述されているが、本実施形態におけるデータベースでは、一意性を持たせたテキスト表記による記述の形態を示している。
【００４０】
まずは、顔認識部２０２の詳細な説明を行う。
図３は、顔認識部２０２による、顔画像を検出する処理のフローチャートを示す図である。
顔認識部２０２は、カメラ１３３によって撮影された画像の中から顔画像を検出して、ユーザデータベース（以下、ユーザＤＢと称する）２０１に登録するかを判断する。さらにユーザＤＢ２０１に登録されているユーザＩＤの情報を状況管理部２０８に出力する。
【００４１】
図６は、本発明の一実施形態であるユーザＤＢ２０１をテキスト表記によって記述し、表形式で示す図である。
すなわちユーザＤＢ２０１は、操作入力がされるときに取得した顔画像データに対して、そのデータを特定する一意性を持たせたユーザＩＤが個別に付与されて登録されている。また装置の電源が供給されなくても保持すべきデータであるので、電源供給がされなくてもデータを保持できる、例えばＨＤＤ１１５などに保存される。
【００４２】
顔認識処理では、まず、操作部１３０やリモコンＲＣなどへの操作入力待ちを行う（Ｓ３０１のＮ）。そして操作入力がされる（Ｓ３０１のＹ）と、カメラ１３３により映像を撮影して取得し（Ｓ３０２）、取得した映像から顔画像を検出する（Ｓ３０３のＹ）。なお、顔画像が検出できない場合（Ｓ３０３のＮ）は、操作入力待ちの処理に戻る。
【００４３】
さらに、検出した顔画像のデータと一致するデータがユーザＤＢ２０１に存在するかを確認して、存在しない場合（Ｓ３０４のＮ）は、検出した顔画像のデータに対応する、一意性を持たせたユーザＩＤを付与してユーザＤＢ２０１に登録し（Ｓ３０５）、検出した顔画像のデータに対応するユーザＩＤの情報をユーザＤＢ２０１から再取得して（Ｓ３０６）、状況管理部２０８へ取得したユーザＩＤの情報を出力する（Ｓ３０７）。また一致するデータがユーザＤＢ２０１に存在する場合（Ｓ３０４のＹ）は、登録されている顔画像のデータに対応するユーザＩＤの情報を取得して（Ｓ３０６）、同様に状況管理部２０８へ取得したユーザＩＤの情報を出力する（Ｓ３０７）。
【００４４】
なお状況管理部２０８は、前述したユーザＩＤや、選択されている信号源、受信チャンネル、時刻、設定音量、音声ＭＯＤＥ設定などの装置状況情報、出力している映像コンテンツのジャンル情報や登場人物情報などを関連付けて管理し、これらの情報は図示していないＲＡＭなどに記録される。そして情報更新や情報出力の要求に応じて、管理している情報を更新したり出力したりする。
【００４５】
なお上記装置状況情報は、色あいや画面の明るさなどの映像設定や、低音強調やイコライザなどの音声設定、などの情報が含まれる形態であってもよい。
また本実施形態では、顔画像とユーザＩＤを関連付ける形態を示したが、指紋認証や、声紋認証、角膜認証などの生体認証技術によってユーザＩＤを関連付けることも可能である。その場合はそれぞれの生体情報を検出する検出部を利用する。
【００４６】
ところで、状況管理部２０８がユーザＩＤを管理しない実施形態でもよく、その場合は、顔認識部２０２とカメラ１３３、ユーザＤＢ２０１は不要となる。
次に、実行動作決定部２０３の詳細な説明を行う。
図４は、実行動作決定部２０３による、装置が実行する動作を決定する処理のフローチャートを示す図である。
実行動作決定部２０３は、操作部１３０やリモコンＲＣなどが受ける入力操作の情報と、状況管理部２０８から出力される情報を、予約動作データベース（以下、予約動作ＤＢと称する）２０５に保存されている情報と比較して、その結果に応じて、操作履歴データベース（以下、操作履歴ＤＢと称する）２０４に新たに登録したり、装置が実行する動作を決定したりする。
【００４７】
図７は、本発明の一実施形態である操作履歴ＤＢ２０４をテキスト表記によって記述し、表形式で示す図である。
すなわち操作履歴ＤＢ２０４は、操作部１３０やリモコンＲＣなどが操作入力を受けるときに、その操作入力の内容や、ユーザＩＤ情報、装置状況情報、映像コンテンツのジャンル情報や登場人物情報などが、時間経過の順に追加された操作履歴として登録されている。なお本実施形態による操作履歴ＤＢ２０４では、装置状況情報は、曜日、時刻、信号源、チャンネル（図においてはＣＨと表示）、ジャンル、音量、音声ＭＯＤＥを示している。また、装置が稼動している状態で操作入力に応じて順次登録される操作履歴であるので、図示していないＲＡＭなどに保存される。
【００４８】
図８は、本発明の一実施形態である予約動作ＤＢ２０５をテキスト表記によって記述し、表形式で示す図である。
すなわち予約動作ＤＢ２０５には、所定時間内に複数の入力操作を受けて、それぞれの要求に応じた複数の動作が行われるときに、その複数の動作の起点となる入力操作の内容がトリガ操作として登録され、トリガ操作に応じた動作が行われたときの装置状況情報や映像コンテンツのジャンル情報や登場人物情報なども関連付けて登録される。また、それらの情報に対する、複数の動作の中で最後の動作が行われたときの情報の中から、変化した内容が実行動作の内容として同様に関連付けて登録され、また、それらの情報には一意性を持たせた予約動作ＩＤが付与されている。さらには、実行回数、実行フラグ、拒否フラグなどの管理情報も、併せて関連付けて登録される。つまり予約動作は、トリガ操作や装置状況情報、実行動作内容、予約動作ＩＤ、管理情報などが関連付けられて登録される。
【００４９】
なお本実施形態による予約動作ＤＢ２０５では、装置状況情報は、曜日、時間帯、信号源、チャンネル（図においてはＣＨと表示）、ジャンル、音声ＭＯＤＥを示している。ここで時間帯は、時刻情報を、毎時４５分、１５分から始まる３０分ごとの区間で区切った範囲を示しているが、開始時刻、区間、などは本実施形態に限ったものではない。また値の記述されていない項目は、特定のトリガ操作や実行動作の内容の場合には考慮しなくてもよいと判断された項目であることを示しているが、その判断基準は本実施形態に限ったものではない。なお、装置の電源が供給されなくても保持すべきデータであるので、電源供給がされなくてもデータを保持できる、例えばＨＤＤ１１５などに保存される。
【００５０】
実行動作決定処理では、まず、操作部１３０やリモコンＲＣなどへの操作入力待ちを行う（Ｓ４０１のＮ）。そして操作入力がされる（Ｓ４０１のＹ）と、そのとき入力される操作内容（以下、被入力操作内容と称する）が電源投入ではない場合（Ｓ４０２のＮ）は、状況管理部２０８から、装置状況情報やユーザＩＤ情報、映像コンテンツなどの情報を取得（Ｓ４０４）する。一方、被入力操作内容が電源投入である場合（Ｓ４０２のＹ）は、電源投入の動作を実行することを決定（Ｓ４０３）し、同様に、状況管理部２０８から情報を取得（Ｓ４０４）する。
【００５１】
そして、被入力操作内容や取得した情報などから成る動作パターンと一致する動作パターンが、予約動作として予約動作ＤＢ２０５に登録されているかを確認して、一致する予約動作が確認されない場合、または一致する予約動作は確認されるが関連して登録されている実行フラグの設定が「ＯＦＦ」となっている場合（Ｓ４０５のＮ）には、被入力操作内容や状況管理部２０８から取得した情報などが、時間経過の順に操作履歴ＤＢ２０４に登録される（Ｓ４０６）。そして予約動作登録部２０６に被入力操作内容の情報を出力する（Ｓ４０７）。
【００５２】
さらに被入力操作内容が電源投入である場合（Ｓ４０８のＹ）は、操作入力待ちの処理に戻る。一方、被入力操作内容が電源投入ではない場合（Ｓ４０８のＮ）は、被入力操作内容に応じた動作の実行を決定する（Ｓ４０９）。
【００５３】
また（Ｓ４０５）において、被入力操作内容や取得した情報などから成る動作パターンと一致する動作パターンが、予約動作として予約動作ＤＢ２０５に登録されていているかを確認して、一致する予約動作が確認されて、尚且つ一致する予約動作に関連して登録されている実行フラグの設定が「ＯＮ」となっている場合（Ｓ４０５のＹ）には、該当する全ての予約動作に含まれる実行動作内容の情報を選択的に表示するＯＳＤ画面をＯＳＤ信号生成部１０９で生成し、映像出力部１１１から出力させて、図示していない外部装置のディスプレイなどに表示させて選択入力を待つ（Ｓ４１０）。
【００５４】
図１０は、本実施形態における、該当する予約動作に含まれる実行動作内容の情報を選択的に表示するＯＳＤ画面の一実施形態を示す図である。
該当情報表示部１００１は、一致が確認された全ての予約動作に共通して含まれる装置状況情報などを一覧で表示する一覧表示部である。また、選択予約動作ａ１００２と選択予約動作ｂ１００３は、一致が確認された全ての予約動作それぞれの実行動作内容を個別に選択的に表示する実行動作内容表示部であり、ユーザは表示される実行動作内容から任意に選択することができる。なお非選択部１００４は、表示される実行動作内容をいずれも選択しない場合に利用され、従ってユーザはどの実行動作内容を選択しないこともできる。
【００５５】
つまり（Ｓ４１０）において、任意の実行動作内容が選択される場合（Ｓ４１０のＹ）は、選択された実行動作内容に応じた動作の実行を決定する（Ｓ４１１）。一方、いずれの実行動作内容も選択せず、非選択とする場合（Ｓ４１０のＮ）は、被入力操作内容が電源投入であるかを判断して（Ｓ４０８）、その結果に応じて、操作入力待ち（Ｓ４０１）や、被入力操作内容に応じた動作の実行を決定する（Ｓ４０９）。
【００５６】
そしてそれ以降も、操作入力がされるたびに、予約動作ＤＢ２０５のデータとの一致を確認する処理が行われる。
次に、予約動作登録部２０６の詳細な説明を行う。
図５は、予約動作登録部２０６による、予約動作を登録する処理のフローチャートを示す図である。
予約動作登録部２０６は、実行動作決定部２０３から出力される被入力操作内容の情報が所定時間内で送信されるときに、操作履歴ＤＢ２０４から取得して抽出した動作パターンと一致する動作パターンが、予約動作として予約動作ＤＢ２０５に登録されているかを確認し、一致する予約動作がない場合には、抽出した動作パターンの実行動作内容の元となる個々の動作について、有効動作パターンデータベース（以下、有効動作パターンＤＢと称する）２０７に登録されている有効動作パターンと照合しながら有効性を検証して、予約動作ＤＢ２０５に新たに登録するかを判断し、一致する予約動作がある場合には、一致する予約動作に関連付けて登録されている実行回数、実行フラグ、拒否フラグなどの設定に応じて、それらの設定を所定条件に基づいて再設定する。
【００５７】
図９は、本発明の一実施形態である有効動作パターンＤＢ２０７をテキスト表記によって記述し、表形式で示す図である。
すなわち有効動作パターンＤＢ２０７は、新たな予約動作として予約動作ＤＢ２０５に登録する予約動作候補があるときに、その予約動作候補の実行動作内容の元となる個々の動作について、その内容の有効性を確認するための複数の有効動作パターンが、それぞれに対して一意性を持たせたパターンＩＤを個々に付与されて登録されている。なお本実施形態による有効動作パターンＤＢ２０７では、装置状況情報は、信号源、チャンネル（図においてはＣＨと表示）、ジャンル、音声ＭＯＤＥを示している。また値の記述されていない項目は、特定のトリガ操作や有効動作内容の場合には考慮しなくてもよいと判断された項目であることを示しているが、その判断基準は本実施形態に限ったものではない。また装置の電源が供給されなくても保持すべきデータであるので、電源供給がされなくてもデータを保持できる、例えばＨＤＤ１１５などに保存される。
【００５８】
予約動作登録処理では、まず、実行動作決定部２０３からの入力操作内容の情報入力待ちを行う（Ｓ５０１のＮ）。そして情報が入力された（Ｓ５０１のＹ）とき、入力された情報の直前に入力された入力操作内容の情報から計測される経過時間が所定時間を越えていなければ（Ｓ５０２のＮ）、再び入力操作内容の情報待ちを行う。
【００５９】
しかし所定時間を越えた場合（Ｓ５０２のＹ）は、操作履歴ＤＢ２０４に登録されているデータを全て取得し、その中から時間経過順で最初の操作履歴の入力操作の内容や、装置状況情報、映像コンテンツのジャンル情報などと、時間経過順で最後の操作履歴の装置状況情報、映像コンテンツのジャンル情報などから、予約動作候補となる動作パターンを抽出する（Ｓ５０３）。
【００６０】
そして、抽出した動作パターンと一致する動作パターンが、予約動作として予約動作ＤＢ２０５に登録されているかを確認し（Ｓ５０４）、一致する予約動作がない場合（Ｓ５０４のＮ）は、抽出した動作パターンの実行動作内容の元となる個々の動作について、有効動作パターンＤＢ２０７に登録されている有効動作パターンと照合しながら有効性を検証して、有効である場合（Ｓ５０５のＹ）は、新たな予約動作として、予約動作ＩＤを付与して予約動作ＤＢ２０５に登録する（Ｓ５０６）。有効でない場合（Ｓ５０５のＮ）は、操作履歴ＤＢ２０４に登録されている全データと抽出した予約動作候補のデータとを消去する（Ｓ５１４）。
【００６１】
また予約動作ＤＢ２０５に一致する予約動作がある場合（Ｓ５０４のＹ）、一致が確認された予約動作に関連付けて登録されている拒否フラグの設定を確認し、その設定が「ＯＮ」の場合（Ｓ５０７のＹ）は、操作履歴ＤＢ２０４に登録されている全データと抽出した予約動作候補のデータとを消去する（Ｓ５１４）。しかし拒否フラグの設定が「ＯＦＦ」の場合（Ｓ５０７のＮ）、次は、一致が確認された予約動作に関連付けて登録されている実行フラグの設定を確認し、その設定が「ＯＮ」の場合（Ｓ５０８のＹ）は、操作履歴ＤＢ２０４に登録されている全データと抽出した予約動作候補のデータとを消去する（Ｓ５１４）。しかし実行フラグの設定が「ＯＦＦ」の場合（Ｓ５０８のＮ）、次には、一致が確認された予約動作に関連付けて登録されている実行回数を１つカウントアップする（Ｓ５０９）。
【００６２】
すなわち、操作履歴ＤＢ２０４から抽出された予約動作候補は、予約動作ＤＢ２０５に一致する予約動作がある場合でも、該当する拒否フラグまたは実行フラグのどちらかの設定が「ＯＮ」であれば、操作履歴ＤＢ２０４に登録されている全データと抽出した予約動作候補のデータとを消去して、予約動作登録処理を終了する。
【００６３】
ところで、（Ｓ５０９）でカウントアップした後の実行回数が所定の閾値に満たない場合（Ｓ５１０のＮ）も、操作履歴ＤＢ２０４に登録されている全データと抽出した予約動作候補のデータとを消去する（Ｓ５１４）。しかし、カウントアップした後の実行回数が所定の閾値以上となる場合（Ｓ５１０のＹ）は、予約動作候補との一致が確認された予約動作を、前述した実行動作決定処理での、操作部１３０が受けた被入力操作内容や状況管理部２０８から取得した情報などから成る動作パターンとの一致を確認する処理における、確認対象の予約動作とするかを、ＯＳＤ画面を用いて、図示していない外部装置のディスプレイなどに表示させて選択入力を待つ（Ｓ５１１）。
【００６４】
確認対象とする選択がされる場合（Ｓ５１１のＹ）、予約動作ＤＢ２０５に登録されている該当予約動作に関連付けて登録されている実行フラグの設定を「ＯＮ」にし（Ｓ５１２）、確認対象としない選択がされる場合（Ｓ５１１のＮ）は、該当予約動作に関連付けて登録されている拒否フラグの設定を「ＯＮ」にする（Ｓ５１３）する。どちらが選択される場合でも、その後は、操作履歴ＤＢ２０４に登録されている全データと抽出した予約動作候補のデータとを消去する（Ｓ５１４）。
【００６５】
すなわち以上説明したように本第１の実施形態によれば、操作入力が行われるときに、その操作入力の内容や、ユーザＩＤ情報、選択されている信号源、受信チャンネル、時刻、設定音量、音声ＭＯＤＥ設定などの装置状況情報、さらには映像コンテンツのジャンル情報や登場人物情報などから抽出される動作パターンが、抽出回数と共にデータベースに登録され、その抽出回数が所定回数以上となる場合には、それ以降で同じ動作パターンに該当する装置状況などが抽出されたときに、ユーザが選択決定した複数の動作パターンの実行を提案するので、頻繁に発生する動作パターンをユーザ同意の元に登録した簡略化操作によって、ユーザの意図する動作を実行することができる。
【００６６】
（第２の実施形態）
本発明による第２の実施形態として、映像再生装置であるＤＶＤレコーダにおける、本発明の特徴である動作決定処理の一実施形態について、さらに本発明の特徴である予約動作登録処理の一実施形態について、図を用いて説明する。
【００６７】
本第２の実施形態では、前述した第１の実施形態に対して、動作決定処理の一部が異なるだけであるので、その差異に関して以下に説明をする。
図４に示す、実行動作決定処理において、操作入力がされたときに、その操作入力の内容や装置の状況などの情報を、予約動作ＤＢ２０５に保存されている情報と比較した結果、一致する情報があり、尚且つ該当する情報に関連付けて登録されている実行フラグがＯＮである場合、本第２の実施形態では、該当する情報が１つであれば、ＯＳＤ画面を生成して出力した選択画面に対しての選択入力を待たずに、該当する情報に関連付けて登録されている動作の実行を決定する。
【００６８】
すなわち以上説明したように本第２の実施形態によれば、操作入力が行われるときに、その操作入力の内容や、ユーザＩＤ情報、選択されている信号源、受信チャンネル、時刻、設定音量、音声ＭＯＤＥ設定などの装置状況情報、さらには映像コンテンツのジャンル情報や登場人物情報などから抽出される動作パターンが、抽出回数と共にデータベースに登録され、その抽出回数が所定回数以上となる場合には、それ以降で同じ動作パターンに該当する装置状況などが抽出されたときに、ユーザが選択決定した動作パターンを実行するので、頻繁に発生する動作パターンをユーザ同意の元に登録した簡略化操作によって、ユーザの意図する動作を自動的に実行することができる。
【００６９】
なお本発明は、上述した実施形態に限定されるものではなく、本発明の要旨を変えない範囲において、種々の変更、改変等が可能である。
【図面の簡単な説明】
【００７０】
【図１】本発明の一実施形態を示す、映像再生装置であるＤＶＤレコーダの主要な構成要素を示す構成図。
【図２】本発明の一実施形態を示す、映像再生装置であるＤＶＤレコーダの操作制御部の構成要素を詳細に示す構成図。
【図３】本発明の一実施形態である顔認識部による、顔画像を検出する処理のフローチャートを示す図。
【図４】本発明の一実施形態である実行動作決定部による、装置が実行する動作を決定する処理のフローチャートを示す図。
【図５】本発明の一実施形態である予約動作登録部による、予約動作を登録する処理のフローチャートを示す図。
【図６】本発明の一実施形態であるユーザデータベースをテキスト表記によって記述し、表形式で示す図。
【図７】本発明の一実施形態である操作履歴データベースをテキスト表記によって記述し、表形式で示す図。
【図８】本発明の一実施形態である予約動作データベースをテキスト表記によって記述し、表形式で示す図。
【図９】本発明の一実施形態である有効動作パターンデータベースをテキスト表記によって記述し、表形式で示す図。
【図１０】本実施形態における、該当する予約動作に含まれる差分動作内容などの情報を選択的に表示するＯＳＤ画面の一実施形態を示す図。
【符号の説明】
【００７１】
１５０ａ…操作制御部、１３０…操作部、２０１…ユーザデータベース、２０２…顔認識部、２０３…実行動作決定部、２０４…操作履歴データベース、２０５…予約動作データベース、２０６…予約動作登録部、２０７…有効動作パターンデータベース、２０８…状況管理部。
【図１】
2010109931.tif 000003
【図２】
2010109931.tif 000004
【図３】
2010109931.tif 000005
【図４】
2010109931.tif 000006
【図５】
2010109931.tif 000007
【図６】
2010109931.tif 000008
【図７】
2010109931.tif 000009
【図８】
2010109931.tif 000010
【図９】
2010109931.tif 000011
【図１０】
2010109931.tif 000012